【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
複数の被制御機器を遠隔制御する機器制御装置であって、
前記複数の被制御機器と通信する通信部と、
前記通信部を介して、前記複数の被制御機器のうちの少なくともいずれかを制御する制御命令を送信する制御部と、
情報が格納される記憶部と
を備え、
前記記憶部は、前記制御命令と、前記制御命令の送信の可否を決定する制御ルール情報とを格納し、
前記制御ルール情報は、前記複数の被制御機器のうちの少なくとも１つの被制御機器と関連付けられる情報であるタグを含み、
前記複数の被制御機器の各々は、複数のグループのいずれかに分類されており、
前記制御部は、前記複数のグループのうちの１つのグループに分類された、前記複数の被制御機器のうちの少なくとも１つの被制御機器と前記タグとを関連付けた状態で前記タグを前記記憶部に格納し、前記タグが関連付けられた被制御機器に前記制御命令を送信する
ことを特徴とする機器制御装置。
【請求項２】
前記タグが前記複数の被制御機器のうちの第１の被制御機器に関連付けられている状態において、前記制御部は、前記第１の被制御機器と前記複数の被制御機器のうちの第２の被制御機器とが互いに関連性が高いと判断した場合、前記制御部は、前記第１の被制御機器及び前記第２の被制御機器と、前記タグとを関連付けた状態で前記タグを前記記憶部に格納することを特徴とする請求項１に記載の機器制御装置。
【請求項３】
前記複数のグループのうちの前記１つのグループに分類された前記１つの被制御機器に前記タグが関連付けられた状態で前記タグが前記記憶部に格納された場合、前記制御部は、前記タグと、前記複数のグループのうちの前記１つのグループに分類された全ての被制御機器とを関連付けた状態で前記タグを前記記憶部に格納することを特徴とする請求項１又は２に記載の機器制御装置。
【請求項４】
前記複数の被制御機器の各々は、複数のグループのうちのいずれのグループに分類されているかを示すグループ情報によって、前記複数のグループのうちのいずれかに分類され、前記グループ情報が前記記憶部に格納されていることを特徴とする請求項１から３のいずれか１項に記載の機器制御装置。
【請求項５】
前記複数の被制御機器のうちの少なくとも１つの被制御機器と前記タグとが予め関連付けられた状態で前記タグが前記記憶部に格納されていることを特徴とする請求項１から４のいずれか１項に記載の機器制御装置。
【請求項６】
前記制御部は、予め定められた時間が経過したときに、前記タグの情報を変更することを特徴とする請求項１から５のいずれか１項に記載の機器制御装置。
【請求項７】
前記複数の被制御機器のうちの少なくとも２つの被制御機器が、互いに異なる部屋に設置されており、
前記制御部は、前記制御命令の送信先の被制御機器として前記タグが関連付けられた前記少なくとも２つの被制御機器を選択し、前記選択された前記少なくとも２つの被制御機器に前記制御命令を送信する
ことを特徴とする請求項１から６のいずれか１項に記載の機器制御装置。
【請求項８】
前記制御ルール情報を表示する操作表示部をさらに有し、前記操作表示部から前記制御ルール情報が入力されることを特徴とする請求項１から７のいずれか１項に記載の機器制御装置。
【請求項９】
複数の被制御機器と、
前記複数の被制御機器を遠隔制御する機器制御装置と
を備え、
前記機器制御装置は、
前記複数の被制御機器と通信する通信部と、
前記通信部を介して、前記複数の被制御機器のうちの少なくともいずれかを制御する制御命令を送信する制御部と、
情報が格納される記憶部と
を有し、
前記記憶部は、前記制御命令と、前記制御命令の送信の可否を決定する制御ルール情報とを格納し、
前記制御ルール情報は、前記複数の被制御機器のうちの少なくとも１つの被制御機器と関連付けられる情報であるタグを含み、
前記複数の被制御機器の各々は、複数のグループのいずれかに分類されており、
前記制御部は、前記複数のグループのうちの１つのグループに分類された、前記複数の被制御機器のうちの少なくとも１つの被制御機器と前記タグとを関連付けた状態で前記タグを前記記憶部に格納し、前記タグが関連付けられた被制御機器に前記制御命令を送信する
ことを特徴とする機器制御システム。
【請求項１０】
複数の被制御機器と、前記複数の被制御機器のうちの少なくともいずれかを制御する制御命令及び前記複数の被制御機器のうちの少なくとも１つの被制御機器と関連付けられる情報であるタグが格納された機器制御装置とを備えるシステムにおける機器制御方法であって、
複数のグループのうちの１つのグループに分類された、前記複数の被制御機器のうちの少なくとも１つの被制御機器と前記タグとを関連付けた状態で前記タグを前記機器制御装置に格納するステップと、
前記タグが関連付けられた被制御機器に前記制御命令を送信するステップと
を備える
ことを特徴とする機器制御方法。
【手続補正２】
【補正対象書類名】明細書
【補正対象項目名】０００６
【補正方法】変更
【補正の内容】
【０００６】
本発明の機器制御装置は、複数の被制御機器を遠隔制御する機器制御装置であって、前記複数の被制御機器と通信する通信部と、前記通信部を介して、前記複数の被制御機器のうちの少なくともいずれかを制御する制御命令を送信する制御部と、情報が格納される記憶部とを備え、前記記憶部は、前記制御命令と、前記制御命令の送信の可否を決定する制御ルール情報とを格納し、前記制御ルール情報は、前記複数の被制御機器のうちの少なくとも１つの被制御機器と関連付けられる情報であるタグを含み、前記複数の被制御機器の各々は、複数のグループのいずれかに分類されており、前記制御部は、前記複数のグループのうちの１つのグループに分類された、前記複数の被制御機器のうちの少なくとも１つの被制御機器と前記タグとを関連付けた状態で前記タグを前記記憶部に格納し、前記タグが関連付けられた被制御機器に前記制御命令を送信することを特徴とする。
本発明の機器制御システムは、複数の被制御機器と、前記複数の被制御機器を遠隔制御する機器制御装置とを備え、前記機器制御装置は、前記複数の被制御機器と通信する通信部と、前記通信部を介して、前記複数の被制御機器のうちの少なくともいずれかを制御する制御命令を送信する制御部と、情報が格納される記憶部とを有し、前記記憶部は、前記制御命令と、前記制御命令の送信の可否を決定する制御ルール情報とを格納し、前記制御ルール情報は、前記複数の被制御機器のうちの少なくとも１つの被制御機器と関連付けられる情報であるタグを含み、前記複数の被制御機器の各々は、複数のグループのいずれかに分類されており、前記制御部は、前記複数のグループのうちの１つのグループに分類された、前記複数の被制御機器のうちの少なくとも１つの被制御機器と前記タグとを関連付けた状態で前記タグを前記記憶部に格納し、前記タグが関連付けられた被制御機器に前記制御命令を送信することを特徴とする。
本発明の機器制御方法は、複数の被制御機器と、前記複数の被制御機器のうちの少なくともいずれかを制御する制御命令及び前記複数の被制御機器のうちの少なくとも１つの被制御機器と関連付けられる情報であるタグが格納された機器制御装置とを備えるシステムにおける機器制御方法であって、複数のグループのうちの１つのグループに分類された、前記複数の被制御機器のうちの少なくとも１つの被制御機器と前記タグとを関連付けた状態で前記タグを前記機器制御装置に格納するステップと、前記タグが関連付けられた被制御機器に前記制御命令を送信するステップとを備えることを特徴とする。